(57)【特許請求の範囲】
【請求項１】
巻き軸にトイレットペーパの紙を巻回し、その後、巻回された紙のロールから巻き軸を抜き取る芯無しトイレットペーパの製造方法において、前記巻き軸の外周面に消臭剤又は芳香剤を塗布した後、その巻き軸にトイレットペーパの紙を巻回することを特徴とする芯無しトイレットペーパの製造方法。
【請求項２】
前記巻き軸の外周面に、軸方向に伸びる突条を複数並列して設けたことを特徴とする請求項１に記載の芯無しトイレットペーパの製造方法。
【請求項３】
巻き軸にトイレットペーパの紙を巻回し、その後、巻回された紙のロールから巻き軸を抜き取る工程が繰り返し行われ、ロールから巻き軸を抜き取る際に軸方向へ移動する前記巻き軸に対して消臭剤又は芳香剤の塗布が行われ、その後、その消臭剤又は芳香剤が塗布された巻き軸にトイレットペーパの紙が巻回されることを特徴とする請求項１又は２に記載の芯無しトイレットペーパの製造方法。
【請求項４】
請求項１から３のいずれか一つに記載の芯無しトイレットペーパの製造方法を実施するためのトイレットペーパの製造装置であって、
原反ロールが配置される紙供給部と、その紙供給部から供給されたトイレットペーパの紙が巻回される巻き軸と、前記巻き軸に巻回された紙のロールから前記巻き軸を抜き取るために前記巻き軸と前記ロールとを軸方向へ相対移動させる移動手段と、前記巻き軸の外周面に消臭剤又は芳香剤を塗布する薬剤塗布手段とを備える芯無しトイレットペーパの製造装置。
【請求項５】
前記薬剤塗布手段は、前記移動手段により前記巻き軸と前記ロールとが軸方向へ相対移動する際に、前記巻き軸の外周面に消臭剤又は芳香剤を塗布することを特徴とする請求項４に記載の芯無しトイレットペーパの製造装置。
【発明の詳細な説明】
【技術分野】
【０００１】
この発明は、トイレットペーパの製造方法、及び、その製造方法を実施するために使用するトイレットペーパの製造装置に関するものである。
【背景技術】
【０００２】
一般的なトイレットペーパは、その中心部にボール紙からなる筒状体を介在させ、その筒状体を芯材として、芯材の外周にトイレットペーパを巻回している。この種のトイレットペーパは、芯有りトイレットペーパとも呼ばれる。
【０００３】
それに対し、芯材を用いない芯無しトイレットペーパがある。芯無しトイレットペーパでは、原反ロールから供給されるトイレットペーパの紙が、巻き軸に巻回される巻き始めの部分の数層に接着剤を噴射し、その数層を固めて巻芯部を形成している。なお、巻き軸は、トイレットペーパのロールの巻回が完了した後、軸方向へ抜き取られる。
【０００４】
ところで、近年、芯材やトイレットペーパの紙そのものに、消臭剤や芳香剤を含ませた商品がある。
【０００５】
例えば、特許文献１は、芯有りトイレットペーパの例であり、芯材の外面に、予め芳香剤を塗布しておき、その後、芯材の外周にトイレットペーパの紙を巻回するものである。
【０００６】
また、特許文献２は、芯無しトイレットペーパの例であり、巻芯部を形成するための接着剤に、消臭剤や芳香剤等の薬液を含ませたものである。すなわち、原反ロールから供給されるトイレットペーパの紙が巻き軸に巻回される直前において、薬液を含む接着剤の噴射を行っている。
【先行技術文献】
【特許文献】
【０００７】
【特許文献１】特開昭６３−２８２４００号公報
【特許文献２】特開２００１−３２７４３０号公報
【発明の概要】
【発明が解決しようとする課題】
【０００８】
巻芯部を形成するための接着剤に消臭剤や芳香剤を含ませる上記の手法によると、使用する消臭剤や芳香剤の量の調整が難しいという問題がある。すなわち、巻芯部を形成する接着剤は、巻き初めの何層にも亘って連続して噴射されるので、それに伴って、消臭剤や芳香剤も相当の量が噴射されるからである。消臭剤や芳香剤の使用量は、心地良い香りの維持やコスト面等の観点から、適切に管理されていることが望ましい。
【０００９】
そこで、この発明は、芯無しトイレットペーパにおいて、消臭剤や芳香剤の使用量を簡単に管理できるようにすることを課題とする。
【課題を解決するための手段】
【００１０】
上記の課題を解決するために、この発明は、巻き軸にトイレットペーパの紙を巻回し、その後、巻回された紙のロールから巻き軸を抜き取る芯無しトイレットペーパの製造方法において、前記巻き軸の外周面に消臭剤又は芳香剤を塗布した後、その巻き軸にトイレットペーパの紙を巻回する構成を採用した。
【００１１】
巻き軸に消臭剤や芳香剤を塗布しておけば、その外周に巻回されるトイレットペーパの紙にも消臭剤や芳香剤が付着する。このため、巻き軸周りに巻芯部を形成するための接着剤の塗布工程とは別に、消臭剤や芳香剤の塗布が可能である。したがって、消臭剤や芳香剤の量の管理が簡単である。
【００１２】
また、消臭剤や芳香剤は、巻回されたロールの最内側部分、すなわち、巻き軸を抜き取った後にできる中空部分に面する最内層と、その近傍の紙の層にのみ付着する。このため、比較的空気に触れやすい部分にのみ消臭剤や芳香剤を付着させることができ、少量の薬剤で高い消臭効果、芳香効果が期待できる。
一般に、接着剤で固められた巻芯部は、最内層から数層〜数十層に及ぶ。しかし、従来の手法では、巻芯部のうち、最内層から比較的遠い部分の層に付着した消臭剤や芳香剤は、その消臭、芳香の効果にあまり寄与していなかったからである。
【００１３】
巻き軸への消臭剤や芳香剤の塗布は、例えば、消臭剤や芳香剤の溶液（例えば、水溶液）を、巻き軸の外周面に噴射する手法を採用できる。また、それ以外にも、例えば、消臭剤や芳香剤の溶液に巻き軸を浸漬したり、あるいは、消臭剤や芳香剤の溶液が付着した刷毛や布、スポンジ、その他素材を巻き軸に接触させてもよい。
【００１４】
これらの構成において、前記巻き軸の外周面に、軸方向に伸びる突条を複数並列して設けた構成を採用すれば、巻き軸の外周面とトイレットペーパの紙との接触面積が増える。このため、限られた量の消臭剤や芳香剤で、さらに高い消臭効果、芳香効果が期待できるようになる。
【００１５】
これらの構成において、巻き軸にトイレットペーパの紙を巻回し、その後、巻回された紙のロールから巻き軸を抜き取る工程が繰り返し行われ、ロールから巻き軸を抜き取る際に軸方向へ移動する前記巻き軸に対して消臭剤又は芳香剤の塗布が行われ、その後、その消臭剤又は芳香剤が塗布された巻き軸にトイレットペーパの紙が巻回される構成を採用することができる。
【００１６】
通常の製造工程では、巻き軸にトイレットペーパの紙を巻回し、その後、巻回された紙のロールから巻き軸を抜き取る工程が繰り返し行われるので、前行程におけるロールから巻き軸を抜き取る際に、次工程のロールに対応する消臭剤又は芳香剤を巻き軸に塗布しておくと効率的である。巻回された紙のロールから巻き軸を抜き取る際に、そのロールと巻き軸とは軸方向へ相対移動するので、その相対移動を利用することで、薬剤を巻き軸の軸方向に沿って所定の範囲に容易に塗布できるからである。
【００１７】
これらの各構成からなる芯無しトイレットペーパの製造方法を実施するためのトイレットペーパの製造装置として、以下の構成を採用することができる。
すなわち、原反ロールが配置される紙供給部と、その紙供給部から供給されたトイレットペーパの紙が巻回される巻き軸と、前記巻き軸に巻回された紙のロールから前記巻き軸を抜き取るために前記巻き軸と前記ロールとを軸方向へ相対移動させる移動手段と、前記巻き軸の外周面に消臭剤又は芳香剤を塗布する薬剤塗布手段とを備える芯無しトイレットペーパの製造装置である。
【００１８】
前記薬剤塗布手段は、前記移動手段により前記巻き軸と前記ロールとが軸方向へ相対移動する際に、前記巻き軸の外周面に消臭剤又は芳香剤を塗布する構成を採用することができる。
【発明の効果】
【００１９】
この発明は、巻き軸に消臭剤や芳香剤を塗布したので、その外周に巻回されるトイレットペーパの紙に消臭剤や芳香剤を付着させることができる。これにより、巻芯部を形成するための接着剤の塗布工程とは別に消臭剤や芳香剤の塗布が可能となり、消臭剤や芳香剤の量の管理が簡単である。
【００２０】
また、消臭剤や芳香剤は、巻回されたロールの最内側部分、すなわち、巻き軸を抜き取った後にできる中空部分に面する最内層と、その近傍の紙の層にのみ付着する。このため、比較的空気に触れやすい部分にのみ消臭剤や芳香剤を付着させることができ、少量の薬剤で高い消臭効果、芳香効果が期待できる。
【図面の簡単な説明】
【００２１】
【図１】この発明の一実施形態を示す装置の全体模式図
【図２】（ａ）（ｂ）は、巻回された紙のロールと巻き軸、及び、ノズルとの位置関係を示す正面図
【図３】巻回された紙のロールと巻き軸、及び、ノズルとの位置関係を示す要部拡大斜視図
【図４】（ａ）は、巻き軸に薬液を噴射している状態を示す要部拡大斜視図、（ｂ）はその断面図、（ｃ）はトイレットペーパのロールの要部拡大図
【発明を実施するための形態】
【００２２】
以下、この発明の芯無しトイレットペーパの製造方法、及び、その製造方法を実施するための製造装置の構成を説明する。
【００２３】
製造装置の構成は、図１に示すように、原反ロールＱが配置される紙供給部（図中左側）と、その紙供給部から供給されたトイレットペーパの紙Ｐが巻回される巻き軸１０を配置した巻取り部（図中中央）、巻き軸１０に巻回された紙のロールＲ０が所定の巻厚に達した際に、その巻き終えたロールＲを受け取る受取り部（図中右側）とを備える。
【００２４】
紙供給部では、所定幅のトイレットペーパの紙Ｐが巻回された原反ロールＱが、軸周り回転可能に支持されている。
【００２５】
巻取り部では、紙供給部から供給されたトイレットペーパの紙Ｐが、所定のローラ１，２，３等を介して巻き軸１０に導かれている。図中の符号２，３は保持ローラを、符号１はロールＲ０の巻厚の変動に合わせて昇降する押さえローラを示している。
【００２６】
トイレットペーパの紙Ｐの先端が巻き軸１０に係止され、駆動力によって巻き軸１０が軸周り回転することにより、巻き軸１０にトイレットペーパの紙Ｐが巻回されていく。ここで、巻き軸１０の外周面には、予め、芳香剤が既に塗布されている。この芳香剤の塗布方法、塗布する装置の構造については後述する。
【００２７】
なお、各ローラの配置や駆動方式は、仕様に応じて適宜決定できる。例えば、巻き軸１０の回転は電動機等により、保持ローラ２，３を駆動してもよいし、押さえローラ１を駆動してもよい。また、巻き軸１０を直接駆動してもよい。あるいは、これらの各ローラの駆動を選択的に組み合わせてもよい。
【００２８】
巻き軸１０に巻回される紙Ｐの巻き始めの部分の数層には、接着剤噴射ノズル４から、接着剤としての水が噴射される。この水の噴射により、巻き始めの部分の数層が固められて巻き軸１０周りに巻芯部を形成する。この固められた巻芯部が、芯有りトーレットペーパの芯材と同じ役割を果たす。この実施形態では、接着剤として水を採用しているが、接着機能を有する薬剤の溶液を噴射してもよい。
【００２９】
また、巻取り部では、巻き軸１０に巻回された紙のロールＲ０が所定の巻厚に達した際に、原反ロールＱから供給されている紙Ｐを切断する切断手段（図示せず）を備えている。切断手段としては、例えば、ローラ２の前段（原反ロールＱ側）にカッタ等を備えることができる。
【００３０】
受取り部は、切断手段による紙Ｐの切断後、所定の巻厚に達したロールＲを受け取る機能を有する。ロールＲは、傾斜したガイド５等によって受取り部に誘導され、図中の符号１２，１３で示す保持ローラ上に載置される。
【００３１】
受取り部は、巻き軸１０とロールＲとを軸方向へ相対移動させる移動手段１５を備える。この実施形態では、移動手段１５は、図２に示すように、無端状のチェーンやベルトが用いられ、その移動手段１５にブラケット１４が取付けられている。
【００３２】
受取り部において、ロールＲは巻き軸１０とともに、図２（ａ）に示す受取り状態（巻取部から受け取った状態）から、図２（ｂ）に示す搬出準備状態（受取り状態から側方へ移動した状態）へと移動する。この移動は、巻き軸１０の一端に設けた凹部１０ａに、ブラケット１４の係合部１４ａが係合し、その状態で、電動機等の駆動力により移動手段１５が動作することにより行われる。ブラケット１４が、巻き軸１０の凹部１０ａの一部を形成しているテーパ面を押して、ロールＲは巻き軸１０とともに移動する。
【００３３】
つぎに、ロールＲから巻き軸１０を抜き取るために、押え板１６をロールＲの端部に進出させる。押え板１６は、図３に示す状態から、図４（ａ）に示す状態へと移動する。
【００３４】
押え板１６がロールＲの端部に進出した状態で、移動手段１５が動作することにより、ブラケット１４が先ほどと反対方向、すなわち、図２（ｂ）に示す矢印の方向へ移動する。これにより、ブラケット１４は、巻き軸１０の端部のフランジ１１を押して、ロールＲから巻き軸１０が抜き取られる。このとき、ロールＲは、押え板１６によって端部が保持されているので、ロールＲは移動せず、巻き軸１０のみが移動する。
【００３５】
また、受取り部は、巻き軸１０とロールＲとが軸方向へ相対移動する際に、巻き軸１０の外周面に芳香剤を塗布する薬剤塗布手段２０を備える。この実施形態は、薬剤塗布手段２０として芳香剤の溶液を噴射するノズルを採用し、そのノズルを押え板１６に固定している。このため、押え板１６によってロールＲが保持され、ブラケット１４によって巻き軸１０が引かれて移動するのに伴って、巻き軸１０の外周面に軸方向に沿って芳香剤の水溶液を噴射することができる。なお、この実施形態では薬剤塗布手段２０は、巻き軸１０の外周に潤滑剤を塗布する手段を兼用し、芳香剤と潤滑剤の混合物がノズルから噴射されるようになっているが、潤滑剤を塗布する手段と薬剤塗布手段２０とを別々に設けてもよい。このとき、潤滑剤を塗布する手段は、巻き軸１０をロールＲから抜きとりやすくするために巻き軸１０の外周に潤滑剤をノズルで噴射し、薬剤塗布手段２０は、芳香剤の水溶液をノズルで噴射する構成とできる。
【００３６】
抜き取られた巻き軸１０は巻取り部に送られ、次なる工程で、巻き軸１０の周りにトイレットペーパの紙が巻回されることで、芳香剤は、次なるロールＲに付着することになる。以下、この工程を繰り返すこととなる。
【００３７】
巻き軸１０が抜き取られた後のロールＲは次工程へ搬出され、必要に応じて、軸方向へ所定の長さに切断され、芯無しトイレットペーパが完成する。
【００３８】
なお、図４（ｂ）に示すように、巻き軸１０の外周面に、軸方向に伸びる突条１０ｂを複数並列して設けた構成を採用すれば、巻き軸１０の外周面と、トイレットペーパの紙Ｐ（巻き軸１０を抜き取った後にできるロールＲの中空部分の内面に相当）との間の接触面積が増える。このため、限られた量の消臭剤や芳香剤で、さらに高い消臭効果、芳香効果が期待できる。
【００３９】
図４（ｃ）は、巻き軸１０が抜き取られた後のロールＲである。このロールＲは、巻芯部の内面に突条１０ｂに対応する凹凸が生じており、凹凸のない円筒面である場合と比較して、空気に触れる面積が大きくなっている。これにより、より高い芳香の効果が期待できる。
【００４０】
この実施形態では、巻き軸１０に対して芳香剤の溶液を噴射する構成としたが、芳香剤に代えて消臭剤、あるいは、消臭剤と芳香剤の両方を含む薬剤を塗布してもよい。また、この実施形態では、薬剤塗布手段２０としてのノズルを押え板１６に固定したが、ノズルの設置位置は押え板１６以外でもよい。すなわち、ロールＲに対して軸方向へ相対移動する巻き軸１０の外周面に、薬剤が塗布できる場所であればよい。
【００４１】
また、ノズル以外の薬剤塗布手段２０として、巻き軸１０の軸方向への移動に伴って、消臭剤や芳香剤の溶液が付着した刷毛や布、スポンジ、その他素材を巻き軸１０に接触させる構成としてもよい。また、逆に、巻き軸１０に対して、これらの各構成からなる薬剤塗布手段２０を軸方向へ移動させる構成としてもよい。あるいは、消臭剤や芳香剤の溶液に巻き軸１０を浸漬する装置を設けてもよい。
【００４２】
消臭剤や芳香剤の塗布は、巻き軸１０の全周に亘って行われることが望ましいが、その外周面の周方向に沿って、一部の方位のみに薬剤が塗布されているものであっても所定の効果が期待できる。
【符号の説明】
【００４３】
１  押さえローラ
２，３，１２，１３  保持ローラ
４  接着剤噴射ノズル
５  ガイド
１０  巻き軸
１０ａ  凹部
１１  フランジ
１４  ブラケット
１５  移動手段
１６  押え板
２０  薬剤塗布手段
Ｐ  トイレットペーパの紙
Ｑ  原反ロール
Ｒ，Ｒ０  ロール
【要約】
【課題】芯無しトイレットペーパにおいて、消臭剤や芳香剤の使用量を簡単に管理できるようにする。
【解決手段】巻き軸１０の外周面に消臭剤又は芳香剤を塗布した後、その巻き軸１０にトイレットペーパの紙Ｐを巻回し、巻回された紙ＰのロールＲから巻き軸１０を抜き取る芯無しトイレットペーパの製造方法を採用した。巻き軸１０に消臭剤や芳香剤を塗布したので、その外周に巻回されるトイレットペーパの紙Ｐに消臭剤や芳香剤を付着させることができる。これにより、巻き軸１０周りに巻芯部を形成するための接着剤の塗布工程とは別に消臭剤や芳香剤の塗布が可能となり、消臭剤や芳香剤の量の管理が簡単である。また、消臭剤や芳香剤は、巻回されたロールの最内側部分と、その近傍の紙の層にのみ付着するので、比較的空気に触れやすい部分にのみ消臭剤や芳香剤を付着させることができ、少量の薬剤で高い消臭効果、芳香効果が期待できる。
【選択図】図１【図１】
0005592533.tif 000002
【図２】
0005592533.tif 000003
【図３】
0005592533.tif 000004
【図４】
0005592533.tif 000005